(57)【要約】【課題】  表示部に表示される圧力値等の視認性を向上させたポンプ装置を提供する。【解決手段】  ケーシング内に設けられた羽根車をポンプ駆動用モータにより回転させてポンプ作用を行うポンプ部と、前記モータの回転数を変速させて前記ポンプ部を制御する制御部と、前記制御部から出力される圧力値等を表示する表示部を有するポンプ装置において、前記ポンプ駆動用モータの外殻後部に備えられた外扇ファンと、該外扇ファンが回転することにより発生する風を前記制御部に導風する導風ダクトとを備え、前記表示部は前記導風ダクトに取り付けた。【選択図】図３
2010024931.tif 000002
【特許請求の範囲】
【請求項１】
ケーシング内に設けられた羽根車をポンプ駆動用モータにより回転させてポンプ作用を行うポンプ部と、前記モータの回転数を変速させて前記ポンプ部を制御する制御部と、前記制御部から出力される圧力値等を表示する表示部を有するポンプ装置において、
前記ポンプ駆動用モータの外殻後部に備えられた外扇ファンと、該外扇ファンが回転することにより発生する風を前記制御部に導風する導風ダクトとを備え、
前記表示部は前記導風ダクトに取り付けたことを特徴とするポンプ装置。
【請求項２】
請求項１において、
前記表示部と前記導風ダクトとの取り付けは、前記表示部の裏面に凸レール状のリブを設け、前記導風ダクト側には前記表示部裏面のリブが嵌合する溝を形成したことを特徴とするポンプ装置。
【請求項３】
請求項１または２において、
前記導風ダクトに取り付けた前記表示部は取り外し可能なることを特徴とするポンプ装置。
【発明の詳細な説明】
【技術分野】
【０００１】
本発明は、ポンプ装置に関するものである。
【背景技術】
【０００２】
従来のポンプ装置の圧力値等の表示について図７と図８を用いて説明する。
【０００３】
ポンプ運転中の圧力値等の表示はポンプの運転状況を確認する為に必要不可欠な装備であり、このポンプ装置ではポンプ運転中の圧力を制御する為にポンプ駆動用モータ５１の回転数を変速させる制御基板５２に表示部品である例えば７セグＬＥＤ５３を具備し、圧力値等を表示する構造となっている。
【０００４】
ポンプ装置の制御基板５２は本体構造、スペースの制約から必然的に縦型となり、制御基板５２に具備された表示部品である例えば７セグＬＥＤ５３も縦表示になる。
【０００５】
また、制御基板５２には表示部品である例えば７セグＬＥＤ５３の他に運転／停止，運転圧力等の設定変更を行うボタン５４を具備している。
【０００６】
例えば特許文献１の例では前記同様に縦型に配置されており、制御基板は速度制御装置であるが、表示部品である７セグＬＥＤや、運転圧力等の設定変更を行うボタンを具備しており、視認性，操作性に制約がある構造となっていた。
【０００７】
前述の通り、ポンプ運転中の圧力値等の表示は必要不可欠な重要な装備であり、視認性やボタン操作の改良が要求されていた。
【０００８】
【特許文献１】特許第４０２３２５４号公報
【発明の開示】
【発明が解決しようとする課題】
【０００９】
上記従来のポンプ装置の圧力値等の表示は制御基板が縦型であることより制御基板に具備された表示部品である例えば７セグＬＥＤも縦に表示される。縦表示の場合、表示された圧力値等の確認には制御基板の背面からは見えず、斜め方向からの視認性も悪く、ポンプ装置の設置場所が狭所等の悪設置条件においては、表示の確認できる向きが限られていた。
【００１０】
また、制御基板には表示部品である例えば７セグＬＥＤの他に運転／停止，運転圧力等の変更を行うボタンを具備しており、ボタン操作性についても表示部と同様に狭所等の悪設置条件では操作が困難であった。
【００１１】
本発明の目的は上記課題を解決し、表示部に表示される圧力値等の視認性を向上させたポンプ装置を提供することにある。
【課題を解決するための手段】
【００１２】
上記目的を達成するために本発明の特徴とするところは、ケーシング内に設けられた羽根車をポンプ駆動用モータにより回転させてポンプ作用を行うポンプ部と、前記モータの回転数を変速させて前記ポンプ部を制御する制御部と、前記制御部から出力される圧力値等を表示する表示部を有するポンプ装置において、前記ポンプ駆動用モータの外殻後部に備えられた外扇ファンと、該外扇ファンが回転することにより発生する風を前記制御部に導風する導風ダクトとを備え、前記表示部は前記導風ダクトに取り付けたことにある。
【発明の効果】
【００１３】
本発明によれば、導風ダクトに表示部を取り付けるようにしたので、表示部を水平に載置することができ、表示部に表示された情報の視認性を向上させることができる。
【発明を実施するための最良の形態】
【００１４】
以下、本発明の実施例について、添付の図面を用いて説明する。
【００１５】
まず、本発明の一実施例に係るポンプ装置の概要について図１から図３を引用して説明する。本実施例では家庭用電気井戸ポンプ装置に適用した例を説明する。
【００１６】
ポンプ装置は、水通路が形成されたベース１と、ベース１の吐出側水通路部上部に載置された圧力タンク２と、ベース１の上に配置されたポンプ駆動用モータ３とポンプ駆動用モータ３の回転数を変速させてポンプ装置を制御する制御基板４（制御部）と、制御基板４と通信線で接続されポンプ装置の吐出圧力値の表示や運転圧力等の設定を切り替え操作できる表示部５と、表示部５を載置する架台と兼用の導風ダクト８と、ベース１の上に配置されたポンプ装置を制御する際に発生する高調波を抑制する高調波抑制コイル６と、ベース１の吐出側水通路部上部に載置されたポンプ装置の圧力を略直線的に検出する圧力センサー７とを備えており、これらをポンプカバー１０が覆う構造である。
【００１７】
ポンプ部１５は、羽根車１６と、この羽根車１６を内置するケーシング１７と、ケーシング１７の前面を閉じるケーシングカバー１８を有する。このポンプは、ウェスコポンプと称するもので、ケーシング１７に吸込口１７（ａ）と吐出口１７（ｂ）を有する。なお、本実施例の説明は、代表的ポンプであるウェスコポンプを例示するが、本実施例はウェスコポンプに限定されるものではない。
【００１８】
ポンプ部１５の上部には、気水分離室１９が備わる。気水分離室１９はベース１の吸込側水通路１（ａ）と連通するように吸込管２０で接続される。
【００１９】
吸込側水通路１（ａ）のベース１側端面には配管接続用の吸込フランジ２１が取り付けられる。また、吸込管２０の上部の気水分離室１９内には逆止弁２２が備わる。この逆止弁２２は吸込口側からケーシング１７側への水の流れを許すが、逆向きの流れを阻止するよう作動する。
【００２０】
また、気水分離室１９はベース１の吐出側水通路１（ｂ）と連通するように吐出管２３で接続される。
【００２１】
吐出側水通路１（ｂ）のベース１側端面には配管接続用の吐出フランジ２４が取り付けられる。
【００２２】
気水分離室１９の上部にはねじ込み式の呼び水給水用栓３０が備わる。この呼び水給水用栓３０を外して呼び水を給水する。
【００２３】
ポンプ装置の運転はポンプ駆動用モータ３を運転することにより行われる。まず、自吸運転が行われ、自吸運転が終了してから揚水運転に移行するのである。
【００２４】
自吸運転では、ケーシング吐出口１７（ｂ）から気水分離室１９内の呼び水が還流して、空気が排出され、ポンプ部１５のケーシング吸込口１７（ａ）から上流側の空気が徐々に抜けて水が満たされて行く。そして、水が全部に満たされると、自吸運転が終了し、揚水運転に移行するのである。
【００２５】
揚水運転では、吸い上げられた水が吐出フランジ２４を介して吐出配管から送り出されるのである。かかる揚水運転で、吐出配管につながる流路が閉じられると、吐出配管から下流側の圧力が上がる。通常は、この圧力を圧力センサー７が検知してポンプ駆動用モータ３の運転が止まる。
【００２６】
次に、本実施例の主要部である表示部について説明する。
【００２７】
まず、従来の家庭用電気井戸ポンプ装置の表示部構造について図７と図８を用いて説明する。表示部構造に関連する部品として、ポンプ駆動用モータ５１とポンプ装置の圧力を制御するためにポンプ駆動用モータ５１の回転数を変速させる制御基板５２がある。制御基板５２は縦型に取り付けされている為に具備されている表示部品である例えば７セグＬＥＤ５３、及びボタン５４も縦位置となり、表示された圧力値等の確認には制御基板の背面からは見えず、斜め方向からの視認性も悪い、狭所等の悪設置条件においては表示の確認できる向きが限られることがあった。また、ボタン操作性についても表示部と同様に狭所等の悪設置条件では操作が困難であった。
【００２８】
本実施例は上記課題を解決する為に表示部を載置する構造について、コストを抑制し取り扱いに優れた構造に改良したものである。
【００２９】
ここで、本実施例の表示部の載置構造について図２と図３により説明する。
【００３０】
ポンプ駆動用モータ３外殻後部には外扇ファン１０とファンカバー１１を具備しており、上部には導風ダクト８を載置している。ポンプ駆動用モータ３が回転し、外扇ファン１０により発生した風はファンカバー１１とポンプ駆動用モータ３外殻との間隙から吐出されるが、冷却が必要となる制御基板４へは向かっていない。導風ダクト８はそれらの風向きを替え制御基板４へ向かわせる役割を果たすものであるが、上部に表示部５を水平に取り付け可能となる構造を付加して架台として兼用するものである。
【００３１】
次に導風ダクト８と表示部５の取り付け可能となる構造を図４から図６により説明する。図４は本発明の一実施例に係る導風ダクト８の詳細図であり、図４（ａ）は導風ダクト８の上面図、図４（ｂ）は導風ダクト８の縦断面図である。図５は本発明の一実施例に係る表示部５の詳細図であり、図５（ａ）は表示部５の側面図、図５（ｂ）は表示部５の背面図である。図６は本発明の一実施例に係る導風ダクト８に表示部５を取り付けた詳細図であり、図６（ａ）は導風ダクト８に表示部５を取り付けた状態の上面図、図６（ｂ）は導風ダクト８に表示部５を取り付けた状態の断面図である。
【００３２】
導風ダクト８には上面部に複数の溝部２５を設け、表示部５の裏面には溝部２５に嵌合するように複数の凸レール状のリブ２６を設けることによりスライド構造で嵌合できる。図６に嵌合状態を示す。
【００３３】
図３に示すように表示部５は導風ダクト８を架台とし、複数の溝部２５と複数の凸レール状のリブ２６でスライド嵌合することにより水平に取り付けられ、表示部品である例えば７セグＬＥＤ１３、及びボタン１４は家庭用電気井戸ポンプ装置の上面から表示確認，ボタン操作が可能となる。
【００３４】
また、このスライド構造による嵌合では必要に応じて表示部を取り外し可能となり狭所等の悪設置条件においても取り扱いに優れた構造である。
【図面の簡単な説明】
【００３５】
【図１】本発明の一実施例に係るもので、ポンプ装置の縦断面図である。
【図２】図１の背面図である。
【図３】図１のポンプカバーを外した状態の平面図である。
【図４】本発明の一実施例に係る導風ダクトの詳細図である。
【図５】本発明の一実施例に係る表示部の詳細図である。
【図６】導風ダクトに表示部を取り付けた詳細図である。
【図７】従来例の制御基板の詳細図である。
【図８】従来例のポンプカバーを外した状態の平面図である。
【符号の説明】
【００３６】
３  ポンプ駆動用モータ
４  制御基板
５  表示部  
８  導風ダクト
２５  溝部
２６  リブ
【図１】
2010024931.tif 000003
【図２】
2010024931.tif 000004
【図３】
2010024931.tif 000005
【図４】
2010024931.tif 000006
【図５】
2010024931.tif 000007
【図６】
2010024931.tif 000008
【図７】
2010024931.tif 000009
【図８】
2010024931.tif 000010